(57)【要約】【課題】視聴率情報に基づいたピークシフトを行うことができるテレビジョン受像装置及びテレビジョン受像方法を提供する。【解決手段】バッテリと、外部電源と、外部から受信した視聴率情報を解析する視聴率情報解析部と、解析された前記視聴率情報中の視聴率に基づいて電源制御を行う電源制御部とを備え、この電源制御部は、前記視聴率の数値があらかじめ指定した数値よりも高い場合に前記バッテリを、高くない場合に前記外部電源を選択するよう前記電源制御を行うテレビジョン受像装置。【選択図】  図２
2013074346.tif 000002
【特許請求の範囲】
【請求項１】
バッテリと、
外部電源と、
外部から受信した視聴率情報を解析する視聴率情報解析部と、
解析された前記視聴率情報中の視聴率に基づいて電源制御を行う電源制御部とを備え、
この電源制御部は、前記視聴率の数値があらかじめ指定した数値よりも高い場合に前記バッテリを、高くない場合に前記外部電源を選択するよう前記電源制御を行うテレビジョン受像装置。
【請求項２】
前記視聴率は最大予測視聴率である請求項１に記載のテレビジョン受像装置。
【請求項３】
前記電源制御部は、前記視聴率の数値が相対的に高い時間帯に前記バッテリを選択するよう前記電源制御を行う請求項１に記載のテレビジョン受像装置。
【請求項４】
前記視聴率の数値は複数チャンネル分の合算である請求項３に記載のテレビジョン受像装置。
【請求項５】
バッテリと外部電源とを備えたテレビジョン受像装置におけるテレビジョン受像方法であって、
外部から受信した視聴率情報を解析し、
解析された前記視聴率情報中の視聴率に基づいて、前記視聴率の数値があらかじめ指定した数値よりも高い場合に前記バッテリを、高くない場合に前記外部電源を選択するように電源制御を行うテレビジョン受像方法。
【発明の詳細な説明】
【技術分野】
【０００１】
本発明の実施形態は、視聴率情報によるピークシフト移行処理をするテレビジョン受像装置及びテレビジョン受像方法に関する。
【背景技術】
【０００２】
テレビジョン受像装置などにおいて、ピークシフトを行うことが最近注目されている。例えば、ある技術においてはユーザーがリモコンのピークシフトボタンを押下する事によりピークシフトを実現している。
【０００３】
なお特許文献１では、電力会社が供給する電力の負荷に関する情報に基づいて、電子機器において使用する電源を外部電源にしたり二次電池に切り替える事によりピークシフトを実現している。しかしこの情報を用いた場合、急激な電力消費の増加が短時間に起こりうるケースにおいては対応が出来ずに停電が起こる可能性が否めない。電子機器がテレビである場合、例えばサッカーのワールドカップの決勝戦が放送されるような場合は一斉にその時間になって大勢の人々がテレビの電源が投入するケースが考えられる。
【０００４】
そこで、テレビの視聴率に基づいた情報を利用してピークシフトを行う事を実現することにより、前述したようなケースによる停電の発生を未然に防ぐ事が出来ると期待される。
【先行技術文献】
【特許文献】
【０００５】
【特許文献１】特開２００４−１８０４０４号公報
【発明の概要】
【発明が解決しようとする課題】
【０００６】
本発明の実施の形態は、視聴率情報に基づいたピークシフトを行うことができるテレビジョン受像装置及びテレビジョン受像方法を提供することを目的とする。
【課題を解決するための手段】
【０００７】
上記課題を解決するために、実施形態によればテレビジョン受像装置は、バッテリと、外部電源と、外部から受信した視聴率情報を解析する視聴率情報解析部と、解析された前記視聴率情報中の視聴率に基づいて電源制御を行う電源制御部とを備え、この電源制御部は、前記視聴率の数値があらかじめ指定した数値よりも高い場合に前記バッテリを、高くない場合に前記外部電源を選択するよう前記電源制御を行う。
【図面の簡単な説明】
【０００８】
【図１】実施例のシステムを示す機能構成図。
【図２】実施例のテレビ１の構成を示すブロック図。
【図３】実施例の視聴率情報のデータフォーマット。
【図４】実施例の視聴率情報解析処理のフローチャート。
【図５】実施例の電源制御処理のフローチャート。
【図６】実施例のピークシフト処理のフローチャート。
【図７】実施形態に係わる電子機器の外観を示す図。
【図８】実施形態に係わる電子機器の構成を示すブロック図。
【発明を実施するための形態】
【０００９】
以下、実施形態を図１乃至図８を参照して説明する。
先に示す図７は、実施形態に係わる電子機器の外観を示す図である。
映像表示装置（テレビ）１は、例えば、ユーザーによってリモコン（リモートコントローラ）２１が操作される。このリモコン２１から出力されたリモコン信号が映像表示装置（テレビ）１の操作受信部２０で受信される。
【００１０】
リモコン信号を受信した映像表示装置（テレビ）１は、このリモコン信号の指示によって動作し、例えば、ＬＣＤ（Liquid Crystal Display、液晶ディスプレイ）等で構成される表示画面（映像表示部）８に、所定の映像を表示出力する。
【００１１】
また、この映像表示装置（テレビ）１は、例えば、ＵＳＢ端子等で外付けされる外部記憶機器（ＨＤＤ等）１９を備えている。そして、例えば、映像表示装置１で受信された放送を、この外部記憶機器１９に録画することが可能である。
【００１２】
また、この映像表示装置（テレビ）１は、この映像表示装置（テレビ）１に接続、あるいは、内蔵されるバッテリ３０を備えている。
この内蔵バッテリ３０は、例えば、上記商用電源から給電を受け、充電することが可能である。
ここで、上記内蔵バッテリ３０の説明をする。内蔵バッテリ３０は、例えば、リチウムイオン二次電池やリチウムイオンポリマー二次電池を用いたバッテリパックで構成される。
【００１３】
リチウムイオン二次電池は、非水電解質二次電池の一種で、電解質中のリチウムイオンが電気伝導を担う二次電池である。現在、正極にリチウム金属酸化物を用い、負極にグラファイトなどの炭素材を用いるものが多い。リチウムイオン二次電池は、リチウムイオン電池、リチウムイオンバッテリー、Ｌｉ−ｉｏｎ電池、ＬＩＢ、ＬｉＢとも表記されることがある。
【００１４】
また、リチウムイオンポリマー二次電池は、電解質として電解液のかわりに高分子ゲルを使用する。これも、リチウムイオン電池の一種である。
この実施の形態に係る映像表示装置（テレビ）１は、通常、商用電源（ＡＣ電源、図示せず）から給電を受け、動作するが、例えば、商用電源が停電し、給電が受けられない場合等に、この内蔵バッテリ３０からの給電に切替えて、動作を行なうことが可能である。
【００１５】
この内蔵バッテリ３０からの給電と商用電源からの給電の切替えは、例えば、従来同様にリモコン２１に設けられた給電切替えボタン２１ａをユーザーが操作することで実現することもできる。
【００１６】
図８は、実施形態に係わる電子機器の構成を示すブロック図である。
この実施形態においては、制御部１１はＣＰＵ（１２）を備えている。そして、ＣＰＵ（１２）は映像表示装置（テレビ）１を制御する。また、ＲＡＭ（１３）、ＲＯＭ（１４）、フラッシュメモリ１５は、例えば、制御部１１で行われる処理に利用される。
【００１７】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１８】
信号処理部４で受信されたデジタル信号の映像コンテンツは信号処理が施され、音声処理部６および映像処理部５に送信される。
音声処理部６は、信号処理が施された映像コンテンツを受信し、音声処理を施した信号をスピーカ９に送信する。
スピーカ９は、音声処理が施された信号を受信し、音声を出力する。
また、映像処理部５は、信号処理が施された映像コンテンツを受信し、映像処理を施した信号を表示装置７に送信する。
表示装置７は、映像処理が施された信号を受信し、ＬＣＤパネル等で構成される表示画面（映像表示部）８に映像を表示する。
また、この実施の形態においては、映像表示装置（テレビ）１は内部記憶装置１７を備えている。この内部記憶装置１７は、上記外部記録機器１９と同様に、例えば、他の映像表示装置（相手方）から送信され、映像表示装置（テレビ）１で受信されたテレビ電話通信の映像コンテンツ（映像および音声）を録画することが可能である。この内部記憶装置１７は、上記受信された映像コンテンツを記録することが可能である。
【００１９】
また、この実施の形態においては、映像表示装置（テレビ）１は、上記のようにＵＳＢ接続やＬＡＮ接続される外部記憶機器１９を備えている。上記受信された映像コンテンツはこの外部記憶機器１９に記録することも可能である。
【００２０】
また、上記のように、映像表示装置（テレビ）１に対するユーザーの操作は、例えばリモコン（リモートコントローラ）２１等の操作機器によって指示される。
これらの処理は、上記のように、制御部１１に制御される。
また、映像表示装置（テレビ）１は、送受信部（ネットワークインターフェース）２２、ネットワーク（インターネット）２６を介してサーバ２７に接続され、次に説明する映像表示装置（テレビ）１の視聴率情報を用い、例えば、ＣＰＵ（１２）の指示で、映像表示装置（テレビ）１の視聴率情報を、このネットワーク（インターネット）２６を介して取得することが可能である。
【００２１】
上記のように、映像表示装置（テレビ）１は、内蔵バッテリ３０を備えている。なお、この内蔵バッテリ３０は、その外観が全て映像表示装置（テレビ）１に含まれることはなく、接続される形態でも良い。
【００２２】
さて、図１は本実施例のシステムを示す機能構成図である。
テレビ１０１（映像表示装置１相当）はピークシフト機能を備えたテレビであり、インターネット接続手段によりインターネットに接続することによりインターネット１０３（ネットワーク２６相当）を介して視聴率情報提供サーバー１０２（サーバ２７相当）から視聴率情報を取得できる構成となっている。テレビ１がインターネット１０３に接続する手段については送受信部２２として、一般的な有線LAN(Ethernet(登録商標))や無線LAN(WiFi等)による接続で構成することができる。
【００２３】
図２は本実施例におけるピークシフト機能を備えたテレビ１０１の機能ブロック図である。視聴率情報受信部２１０は送受信部２２で構成され、視聴率情報解析部２１１、電源制御部２１２は、制御部１１、ＲＡＭ１３、ＲＯＭ１４、フラッシュメモリ１５に拠り、バッテリ２１３は内蔵バッテリ３０で構成されている。
【００２４】
視聴率情報提供サーバー１０２が提供する視聴率情報は、インターネット１０３を介してテレビ１０１に届き、視聴率情報受信部２１０にて受信する。その後、視聴率情報解析部２１１により視聴率情報の解析を行い、その解析結果に応じて電源制御部２１２の制御を行うことにより、電源制御部２１２はバッテリ２１３による動作を行うのか、外部電源２１４による動作を行うのかを決定することで、視聴率情報に基づいたピークシフト機能を実現する。
【００２５】
なおこの外部電源２１４は、商用電源から電力を得るための例えばＡＣコードやトランス、ダイオードブリッジやコンデンサなどからなる整流回路などの電気部品、電子部品などから構成されている。
【００２６】
図３は本実施例における視聴率情報のデータフォーマットである。
１つのデータは開始日時３２１、終了日時３２２、最大予測視聴率３２３，チャンネル３２４より構成されており、このデータが複数個連続することにより視聴率データが構成される。図３の例であれば、一番最初のデータでは2011年6月21日 21:00:00から2011年6月21日 22:00:00の日時の間でチャンネル１にて最大予測視聴率が55%である事を示している。なお、本実施例においては視聴率情報は１日に１回視聴率情報提供サーバー１０２により提供される事を想定しているが、視聴率情報の提供されるタイミングや１度に受信する視聴率情報に含まれる日時の期間やその情報量については特に制約はないものとする。
【００２７】
図４は本実施例における視聴率情報解析処理のフローチャートである。
視聴率情報受信部２１０が視聴率情報を受信することにより、視聴率情報解析部２１１による処理が開始され（ステップＳ３１）、視聴率情報データの読み込みを行う（ステップＳ３２）。次にステップＳ３２にて読み込んだ、最大予測視聴率３２３と基準となる値（基準値）との比較を行い、この基準となる値よりも最大予測視聴率３２３の方が大きい値であると判断した場合（ステップＳ３３のＹＥＳ）には、該当するデータにおける開始日時３２１および終了日時３２２の期間をピークシフトを行う日時として電源制御部２１２のピークシフト設定処理を呼び出す（ステップＳ３４）。電源制御部２１２へのピークシフト時間の設定後またはステップＳ３３にて基準となる値よりも最大予測視聴率３２３の方が大きい値であるとは判断されなかった場合（ステップＳ３３のＮＯ）には、更なる視聴率情報データがあるかを判断し（ステップＳ３５）、このデータがある場合にはステップＳ３２にて次の視聴率情報データの読み込みを継続する（ステップＳ３５のＹＥＳ）。視聴率データがない場合には本処理を終了する（ステップＳ３５のＮＯ）。なお、ステップＳ３３における基準値については固定値であっても構わないし、ユーザーがテレビのユーザーインタフェースを用いてその値を設定する仕組みを用意してユーザーが任意に値を設定できるようにしても構わない。
【００２８】
基準値が例えば20%であれば、図３の例では最大予測視聴率３２３が28%, 40%, 55%の視聴率情報データが電源制御部２１２のピークシフト設定処理を呼び出す対象となる。
【００２９】
図５は、本実施例における電源制御部２１２におけるピークシフト設定処理のフローチャートである。
上述の視聴率情報解析処理からピークシフト設定処理（ステップＳ４１）が呼び出されることにより、このピークシフト設定処理はピークシフト設定日時を取得する（ステップＳ４２）。次に、ステップＳ４２で取得した、設定しようとするピークシフト設定日時における最大予測視聴率と、既に電源制御部に設定されているピークシフト設定における最大予測視聴率とを比較を行い、そこで設定しようとする同日のピークシフト設定日時の最大予測視聴率の方の値が大きいと判断した場合（ステップＳ４３のＹＥＳ）には、設定しようとするピークシフト設定日時を新たなピークシフト設定日時となるように電源制御部にピークシフト設定日時を設定し（ステップＳ４４）、本処理を終了する。なお、ステップＳ４３にて既に設定されているピークシフト設定日時の最大予測視聴率の方が大きいと判断した場合（ステップＳ４３のＮＯ）には何も行わずに本処理を終了する。
【００３０】
ステップＳ４２のピークシフト設定日時を取得する処理が、例えばこの日時の早いものから行われるように構成しているものとする。すると、図３の例では最大予測視聴率３２３がまず28%, 次に40%, 最後に55%のピークシフト設定日時が順に設定される。
【００３１】
図６は、本実施例における電源制御部２１２におけるピークシフト処理のフローチャートである。
ピークシフト処理（ステップＳ５１）は、テレビ１０１の起動により開始されテレビ１０１の動作中は常に処理が動作しているものである。まず、現在の日時をテレビ１０１が保持している図示せぬRTC（リアルタイムクロック）から取得する（ステップＳ５２）。次に取得した日時が、ピークシフト設定処理により設定されたピークシフト設定日時の範囲内であるかどうかを判定し（ステップＳ５３）、そこで範囲内であると判定した場合（ステップＳ５３のＹＥＳ）には、バッテリ動作に設定することによりバッテリ１３による動作を行う（ステップＳ５４）。また、ステップＳ５３にて範囲外であると判定した場合（ステップＳ５３のＮＯ）には、外部電源動作に設定することにより外部電源２１４による動作を行う（ステップＳ５５）。
【００３２】
この判定がいずれであっても、一定時間待機後にステップＳ５２に戻り上記の動作を繰り返す。この一定時間とは、ＣＰＵに負荷がかかり電力消費が増大しないような間隔を空けるものであり、例えば１秒とか１０秒とかである。
【００３３】
以上説明した実施例によれば聴率情報によるピークシフト移行処理により、視聴率の高い番組が放送された際に一斉に各家庭等のテレビの消費電力量が増加する事による大規模停電の発生を未然に防ぐことが出来るようになった。
【００３４】
（実施形態のポイント）
（１）ピークシフト（バッテリ動作）を行う条件として外部から受信したテレビ視聴率情報を使用する。
（２）テレビ視聴率情報における最大予測視聴率の数値があらかじめ指定した数値よりも高い場合に、そのテレビ視聴率情報で示される開始日時と終了日時の間をピークシフトによるバッテリ動作を行うよう設定する。
【００３５】
（３）（２）において、あらかじめ指定した数値よりも高いと判断された数値が複数あった場合には、同日中での最大予測視聴率の値の一番大きいものを含むテレビ視聴率情報に基づいてピークシフトを行う。あるいはさらに複数のテレビ視聴率情報に基づいてもよい。例えば、最大予測視聴率が近いチャンネルが複数ある場合は、最大予測視聴率が２位（以下）のチャンネルの視聴による消費電力にも配慮した（例えば合算）構成とすることができる。図３における同一時間帯の最大予測視聴率３２３とチャンネル３２４の組を複数設けることによってこれは実現できる。
【００３６】
なお、この発明は上記実施形態に限定されるものではなく、この外その要旨を逸脱しない範囲で種々変形して実施することができる。インターネット経由で視聴率情報に代わりお薦め番組の情報やそのアクセス頻度などの情報を基に構成してもよい。また、省電力という範疇では所謂省電力モード（表示部分の輝度の低減）を行ってもよい。
【００３７】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００３８】
１…映像表示装置（テレビ）、４…信号処理部、５…映像処理部、６…音声処理部、７…表示装置、８…表示画面、９…スピーカ、１１…制御部、１２…ＣＰＵ、１３…ＲＡＭ、１４…ＲＯＭ、１５…フラッシュメモリ、１７…内部記憶装置、１９…外部記憶機器、２０…操作受信部、２１…リモコン（リモートコントローラ）、２１ａ…給電切替えボタン、２２…送受信部（ネットワークインターフェース）、２６…ネットワーク（インターネット）、２７…サーバ、３０…内蔵バッテリ、１０１…テレビ、１０２…サーバー、１０３…インターネット、２１０…視聴率情報受信部、２１１…視聴率情報解析部、２１２…電源制御部、２１３…バッテリ、２１４…外部電源、３２１…開始日時、３２２…終了日時、３２３…最大予測視聴率、３２４…チャンネル。
【図１】
2013074346.tif 000003
【図２】
2013074346.tif 000004
【図３】
2013074346.tif 000005
【図４】
2013074346.tif 000006
【図５】
2013074346.tif 000007
【図６】
2013074346.tif 000008
【図７】
2013074346.tif 000009
【図８】
2013074346.tif 000010
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
内蔵バッテリと、
外部電源と、
視聴率を含む視聴率情報を受信して解析する視聴率情報解析部と、
前記視聴率に基づいて電源を選択する電力制御部とを備え、
この電力制御部は、前記視聴率の数値が閾値を満たす場合に電源として前記内蔵バッテリを選択し、前記視聴率の数値が前記閾値を満たさなかった場合に電源として前記外部電源を選択することを特徴とするテレビジョン装置。
【請求項２】
前記視聴率は最大予測視聴率であることを特徴とする請求項１に記載のテレビジョン装置。
【請求項３】
前記電力制御部は、前記視聴率の数値が相対的に高い時間帯に前記内蔵バッテリを選択することを特徴とする請求項１に記載のテレビジョン装置。
【請求項４】
前記視聴率の数値は複数のチャンネルの視聴率の合計であることを特徴とする請求項３に記載のテレビジョン装置。
【請求項５】
内蔵バッテリと外部電源とを備えたテレビジョン装置における電源の選択方法であって、
前記テレビジョン装置が受信した視聴率を含む視聴率情報を解析し、
前記視聴率に基づいて、前記視聴率の数値が閾値を満たす場合に前記テレビジョン装置の電源として前記バッテリを選択し、前記視聴率の数値が前記閾値を満たさなかった場合に前記テレビジョン装置の電源として前記外部電源を選択することを特徴とするテレビジョン装置における電源の選択方法。